(57)【要約】【課題】  隙間閉塞部材の取付構造において、取付けの作業性を向上させるとともに、第三者による隙間閉塞部材の抜き取りを防止することができる。【解決手段】  第１の隙間閉塞部材１２は、被係合凹部１２ａ，１２ｂが置台９に固定されたスリーブ１１Ｂ，１１Ｃに係合することにより、扉４の下方に位置付けられ隙間１６内に取り付けられる。第２の隙間閉塞部材１３は、被係合凹部１３ａ，１３ｂが置台９に固定されたスリーブ１１Ａ，１１Ｄに係合することにより、底板７の辺７Ｂに対応して隙間１６内に取り付けられる。第３の隙間閉塞部材１４は、被係合凹部１４ａ，１４ｂがゴム足８Ａ，８Ｂに係合することにより、底板７の辺７Ｃに対応して隙間１６内に取り付けられる。第４の隙間閉塞部材１５は、被係合凹部１５ａ，１５ｂがゴム足８Ｄ，８Ｃに係合することにより、底板７の辺７Ｄに対応して隙間１６内に取り付けられる。【選択図】  図２
2008183314.tif 000002
【特許請求の範囲】
【請求項１】
置台と、この置台に載置される筺体とを備え、前記置台の上板と前記筺体の底板との間に設けられ隙間に挿入される隙間閉塞部材の取付構造であって、
筺体の底板と置台の上板との少なくともいずれか一方に取り付けられた複数の係合部材と、前記筺体の底板の各辺に対応するように設けられ弾性材によって形成された複数個の隙間閉塞部材とを備え、これら隙間閉塞部材に、これら隙間閉塞部材が前記隙間に挿入されることにより前記係合部材に係合する被係合部を設け、係合部材に被係合部が係合することにより前記隙間閉塞部材が前記各辺よりも筺体の内側に位置付けられることを特徴とする隙間閉塞部材の取付構造。
【請求項２】
前記筺体の側面部の一面に開口を設け、この筺体の開口を開閉する扉を備え、複数個の前記隙間閉塞部材のうちのいずれか一つを前記扉の下方に位置付けたことを特徴とする請求項１記載の隙間閉塞部材の取付構造。
【請求項３】
前記筺体を平面視矩形状に形成し、前記隙間閉塞部材を、前記扉に対応する位置に設けられる第１の隙間閉塞部材とこの第１の隙間閉塞部材に対向する第２の隙間閉塞部材と他の第３および第４の隙間閉塞部材とによって構成し、これら第１ないし第４の隙間閉塞部材の各被係合部が前記係合部材に係合した状態で、隣接する前記隙間閉塞部材の互いの両端部を対接させたことを特徴とする請求項２記載の隙間閉塞部材の取付構造。
【発明の詳細な説明】
【技術分野】
【０００１】
本発明は、底面にゴム足等が設けられた筺体を置台に載置したときに、置台の上面と筺体の底面との間に形成される隙間を塞ぐための隙間閉塞部材の取付構造に関するものである。
【背景技術】
【０００２】
この種の筺体の設置構造においては、置台の上板と筺体の底板との間に形成される隙間をそのままの状態で放置していると、第三者によって故意に隙間内へ異物が詰め込まれたり、隙間内に誤って硬貨等が入り込んでしまうと取り出しずらいという不都合が生じる場合がある。また、長期間使用していると隙間内に塵埃が堆積し、使用者に不潔感を与えるため、隙間を隙間閉塞部材によって塞ぐことがある。
【０００３】
この隙間閉塞部材の取付構造としては、スポンジやゴムクッション等の弾性材によって形成された隙間閉塞部材を弾性変形させながら隙間内に押し込む構造のものや、筺体を置台に載置する以前に予め筺体の底面に隙間閉塞部材を取り付けておくものがある。
【発明の開示】
【発明が解決しようとする課題】
【０００４】
上述した従来の構造のうち、前者においては、単に隙間閉塞部材を隙間内に押し込んだ構造であるため、隙間閉塞部材が第三者によって故意に取り外されたり、経時変化により外れてしまうという問題があった。また、後者においては、ボルトによって筺体を置台に固定する以前に、筺体に隙間閉塞部材が取り付けられているため、筺体を置台に固定するために筺体を置台に載置するときに、ボルトを挿通させるために筺体と置台との間に介装されるスリーブに隙間閉塞部材が接触する場合がある。隙間閉塞部材がスリーブに接触してスリーブを所定位置から動かしてしまうと、スリーブにボルトを挿通させることができなくなるため、筺体の設置作業をやり直すことになり作業性が悪いという問題もあった。
【０００５】
本発明は上記した従来の問題に鑑みなされたものであり、その目的とするところは、取付けの作業性を向上させるとともに、第三者による隙間閉塞部材の抜き取りを防止することができる隙間閉塞部材の取付構造を提供するところにある。
【課題を解決するための手段】
【０００６】
この目的を達成するために、請求項１に係る発明は、置台と、この置台に載置される筺体とを備え、前記置台の上板と前記筺体の底板との間に設けられ隙間に挿入される隙間閉塞部材の取付構造であって、筺体の底板と置台の上板との少なくともいずれか一方に取り付けられた複数の係合部材と、前記筺体の底板の各辺に対応するように設けられ弾性材によって形成された複数個の隙間閉塞部材とを備え、これら隙間閉塞部材に、これら隙間閉塞部材が前記隙間に挿入されることにより前記係合部材に係合する被係合部を設け、係合部材に被係合部が係合することにより前記隙間閉塞部材が前記各辺よりも筺体の内側に位置付けられることを特徴とするものである。
【０００７】
請求項２に係る発明は、請求項１に係る発明において、前記筺体の側面部の一面に開口を設け、この筺体の開口を開閉する扉を備え、複数個の前記隙間閉塞部材のうちのいずれか一つを前記扉の下方に位置付けたものである。
【０００８】
請求項３に係る発明は、請求項２に係る発明において、前記筺体を平面視矩形状に形成し、前記隙間閉塞部材を、前記扉に対応する位置に設けられる第１の隙間閉塞部材とこの第１の隙間閉塞部材に対向する第２の隙間閉塞部材と他の第３および第４の隙間閉塞部材とによって構成し、これら第１ないし第４の隙間閉塞部材の各被係合部が前記係合部材に係合した状態で、隣接する前記隙間閉塞部材の互いの両端部を対接させたものである。
【発明の効果】
【０００９】
請求項１に係る発明によれば、隙間閉塞部材を筺体と置台との間の隙間に挿入するだけで、隙間閉塞部材を隙間内に取り付けることができるため作業性が向上する。また、隙間に取り付けられた隙間閉塞部材は被係合部が係合部材に係合するとともに、平面視において各隙間閉塞部材が筺体の外部に露呈することがないから、第三者によって隙間閉塞部材が抜き取られるようなことがない。
【００１０】
請求項２に係る発明によれば、扉を開き筺体の開口を開放することにより、隙間閉塞部材の一つが開放されるため、隙間閉塞部材の取り外しを容易に行うことができる。
【００１１】
請求項３に係る発明によれば、隣接する隙間閉塞部材の互いの両端部が対接されているため、各隙間閉塞部材の移動が規制されるから隙間閉塞部材の取付けが堅固となる。
【発明を実施するための最良の形態】
【００１２】
以下、本発明の実施の形態を図に基づいて説明する。図１は本発明に係る隙間閉塞部材の取付構造を実施する筺体を置台に載置した状態を示し、同図（Ａ）は正面図、同図（Ｂ）は側面図、図２ないし図４は図５（Ａ）におけるIV-IV 線断面図であって、図２は第３および第４の隙間閉塞部材の取付けを開始した状態を示し、図３は第３および第４の隙間閉塞部材の取付けを終了した状態を示し、図４は第１および第２の隙間閉塞部材の取付けを終了した状態を示し、図５は本発明に係る隙間閉塞部材の取付構造を実施した筺体を置台に載置した状態を示し、同図（Ａ）は正面図、同図（Ｂ）は側面図である。
【００１３】
図１に全体を符号１で示す筺体は、側面部の一面に開口２を有する平面視矩形状に形成されたケース３と、このケース３の開口２を開閉する浅底で箱状に形成された扉４とによって概ね構成されている。扉４はケース３の側板に設けた錠孔５に鍵を挿入し解錠することにより、回動軸６を中心として回動可能となり、回動操作することにより開口２が開放される。ケース３の底板７の四隅のそれぞれには、図２に示すようにゴム足８Ａないし８Ｄが取り付けられている。図１において、９は平面視矩形状に形成された置台であって、この置台９の上板１０の外形はケース３の底板７に扉４の底板を加えた外形よりもわずかに小さく形成されている。
【００１４】
図２において、１１Ａないし１１Ｄは、後述するように筺体１を置台９に固定する際に置台９の上板１０とケース３の底板７との間に介装される円筒状に形成されたスリーブであって、ゴム足８Ａないし８Ｄの高さよりもわずかに低く形成されている。置台９の上板１０の四隅には、スリーブ１１Ａないし１１Ｄに対応してねじ孔（図示せず）が設けられており、これらねじ孔に対応して筺体１の底板７には４個のねじ挿通孔（図示せず）が設けられている。
【００１５】
１２ないし１５は本発明の特徴である第１ないし第４の隙間閉塞部材であって、扉４とケース３の底板７の辺７Ｂないし７Ｄに対応して設けられている。第１の隙間閉塞部材１２の両端部には、ケース３と置台９とに挟持固定されるスリーブ１１Ｂ，１１Ｃに係合する被係合凹部１２ａ，１２ｂが設けられているとともに、第３の隙間閉塞部材１４および第４の隙間閉塞部材１５のそれぞれの一方の端縁１４ｃ，１５ｃに対接する対接部１２ｃ，１２ｄが設けられている。
【００１６】
第２の隙間閉塞部材１３の両端部には、ケース３と置台９とに挟持固定されるスリーブ１１Ａ，１１Ｄに係合する被係合凹部１３ａ，１３ｂが設けられているとともに、第３の隙間閉塞部材１４および第４の隙間閉塞部材１５のそれぞれの他方の端縁１４ｄ，１５ｄに対接する対接部１３ｃ，１３ｄが設けられている。第３の隙間閉塞部材１４の両端部には、ゴム足８Ａ，８Ｂに係合する被係合凹部１４ａ，１４ｂが設けられている。第４の隙間閉塞部材１５の両端部には、ゴム足８Ｃ，８Ｄに係合する被係合凹部１５ａ，１５ｂが設けられている。これら第１ないし第４の隙間閉塞部材１２ないし１５の厚みは、後述する隙間１６よりもわずかに薄く形成されている。
【００１７】
次に、このように構成された隙間閉塞部材の取付構造において、隙間閉塞部材の取付け方法について説明する。先ず、４個のスリーブ１１Ａないし１１Ｄを置台９のねじ孔（図示せず）に対応するように載置し、これらスリーブ１１Ａないし１１Ｄにケース３の底板７に設けたねじ挿通孔（図示せず）を対応させるように、筺体１を、図１に示すようにスリーブ１１Ａないし１１Ｄ上に載置する。この状態で、筺体１の内部からねじ挿通孔にねじを挿通させ、置台９のねじ孔に螺合させることにより、筺体１が置台９上に固定され、筺体１の底板７と置台９の上板１０との間に、ゴム足８Ａないし８Ｄおよびスリーブ１１Ａないし１１Ｄの高さに相当する隙間１６が形成される。
【００１８】
次いで、第３の隙間閉塞部材１４の一方の被係合凹部１４ａを弾性変形させながらゴム足８Ａに係合させ、図２に示すように、この被係合凹部１４ａを回動中心として図中反時計方向へ回動させる。そして、他方の被係合部１４ｂを弾性変形させながらゴム足８Ｂに係合させることにより、第３の隙間閉塞部材１４が、図３に示すようにケース３の底板７の辺７Ｃよりも筺体１の内側に位置付けられるように隙間１６内に取り付けられる。すなわち、第３の隙間閉塞部材１４は平面視においてケース３の底板７の辺７Ｃから露呈しないように隙間１６内に取り付けられる。
【００１９】
同様に、第４の隙間閉塞部材１５の一方の被係合凹部１５ａを弾性変形させながらゴム足８Ｄに係合させ、図２に示すように、この被係合凹部１５ａを回動中心として図中時計方向へ回動させる。そして、他方の被係合部１５ｂを弾性変形させながらゴム足８Ｃに係合させることにより、第４の隙間閉塞部材１５が、図３に示すようにケース３の底板７の辺７Ｄよりも筺体１の内側に位置付けられるように隙間１６内に取り付けられる。すなわち、第４の隙間閉塞部材１５は平面視においてケース３の底板７の辺７Ｄから露呈しないように隙間１６内に取り付けられる。
【００２０】
次いで、第１の隙間閉塞部材１２を第２の隙間閉塞部材１３側（図中矢印Ａ方向）へ移動させ、被係合部１２ａ，１２ｂを弾性変形させながらスリーブ１１Ｂ，１１Ｃに係合させることにより、第１の隙間閉塞部材１２が、図４に示すように、扉４の下方であって平面視において扉４から露呈しないように隙間１６内に取り付けられる。すなわち、第１の隙間閉塞部材１２は、扉４の前面部４ａよりも筺体１の内側に位置付けられるように隙間１６内に取り付けられる。このように取り付けられた第１の隙間閉塞部材１２の一方の対接部１２ｃが第３の隙間閉塞部材１４の一方の端縁１４ｃに対接し、他方の対接部１２ｄが第４の隙間閉塞部材１５の一方の端縁１５ｃに対接する。
【００２１】
同様に、第２の隙間閉塞部材１３を第１の隙間閉塞部材１２側（図中矢印Ｂ方向）へ移動させ、被係合部１３ａ，１３ｂを弾性変形させながらスリーブ１１Ａ，１１Ｄに係合させることにより、第２の隙間閉塞部材１３が、図４に示すように、ケース３の底板７の辺７Ｂよりも筺体１の内側に位置付けられるように隙間１６内に取り付けられる。すなわち、第２の隙間閉塞部材１３は、平面視においてケース３の底板７の辺７Ｂから露呈しないように隙間１６内に取り付けられる。このように取り付けられた第２の隙間閉塞部材１３の一方の対接部１３ｃが第３の隙間閉塞部材１４の他方の端縁１４ｄに対接し、他方の対接部１３ｄが第４の隙間閉塞部材１５の他方の端縁１５ｄに対接する。
【００２２】
このように、各隙間閉塞部材１２ないし１５を筺体１と置台９との間の隙間１６に挿入するだけで、各隙間閉塞部材１２ないし１５を隙間１６内に取り付けることができるため作業性が向上する。また、隙間１６に取り付けられた各隙間閉塞部材１２ないし１５は被係合部が係合部材に係合し、かつ平面視において筺体１の底板７または扉４から外部に露呈することがないから、第三者によって各隙間閉塞部材１２ないし１５が抜き取られるようなことがない。また、取り付けられた隙間閉塞部材１２ないし１５は平面視において枠状に形成され、隣接する隙間閉塞部材の互いの両端部が対接されているため、各隙間閉塞部材１２ないし１５の移動が規制されるから、各隙間閉塞部材１２ないし１５の取付けが堅固となる。
【００２３】
次に、このように取り付けられた第１ないし第４の隙間閉塞部材１２ないし１５を取り外す場合について説明する。この場合は、ケース３の側板に設けた錠孔５に鍵を挿入し解錠し、回動軸６を回動中心として扉４を、図４に示すように時計方向に回動させケース３の開口２を開放する。扉４を開くことにより、扉４によって覆われていた第１の隙間閉塞部材１２の上方が開放されるため、手によって第１の隙間閉塞部材１２を矢印Ｂ方向へ強制的に移動させ、スリーブ１１Ｂ，１１Ｃと被係合凹部１２ａ，１２ｂとの係合を解除することにより、図３に示すように第１の隙間閉塞部材１２を隙間１６から取り外す。第１の隙間閉塞部材１２が隙間１６から取り外されることにより、第１の隙間閉塞部材１２の対接部１２ｃと第３の隙間閉塞部材１４の一方の端面１４ｃとの対接が解除されるとともに、第１の隙間閉塞部材１２の対接部１２ｄと第４の隙間閉塞部材１５の一方の端面１５ｃとの対接が解除される。
【００２４】
次いで、第１の隙間閉塞部材１２を取り外した部位から隙間１６内に扁平な長尺状に形成された治具等を矢印Ａ方向に差し入れ、治具の先端で第２の隙間閉塞部材１３を矢印Ａ方向に強制的に押圧し、スリーブ１１Ａ，１１Ｄと被係合凹部１３ａ，１３ｂとの係合を解除することにより、図３に示すように第２の隙間閉塞部材１３を隙間１６から取り外す。第２の隙間閉塞部材１３が隙間１６から取り外されることにより、第２の隙間閉塞部材１３の対接部１３ｃと第３の隙間閉塞部材１４の他方の端面１４ｄとの対接が解除されるとともに、第２の隙間閉塞部材１３の対接部１３ｄと第４の隙間閉塞部材１５の他方の端面１５ｄとの対接が解除される。
【００２５】
この状態で、上記した第１の隙間閉塞部材１２を取り外した部位から隙間１６内に指等を差し入れ、第３の隙間閉塞部材１４の一方の端縁１４ｃを押圧し、係合凹部１４ｂとゴム足８Ｂとの係合を解除する。ケース３の底板７の辺７Ｃから外部に露呈した第３の隙間閉塞部材１４の一方の端部を把持し、図２に示すように第３の隙間閉塞部材１４を被係合凹部１４ａを回動中心として図中時計方向に回動させ、ゴム足８Ａと被係合凹部１４ａとの係合を解除することにより、第３の隙間閉塞部材１４が隙間１６から取り外される。
【００２６】
同様に、第１の隙間閉塞部材１２を取り外した部位から隙間１６内に指等を差し入れ、第４の隙間閉塞部材１５の一方の端縁１５ｃを押圧し、係合凹部１５ｂとゴム足８Ｃとの係合を解除する。ケース３の底板７の辺７Ｄから外部に露呈した第４の隙間閉塞部材１５の一方の端部を把持し、図２に示すように第４の隙間閉塞部材１５を被係合凹部１５ａを回動中心として図中反時計方向に回動させ、ゴム足８Ｄと被係合凹部１５ａとの係合を解除することにより、第４の隙間閉塞部材１５が隙間１６から取り外される。
【００２７】
このように、ケース３の開口２を開閉する扉４の下方に第１の隙間閉塞部材１２を設けたことにより、扉４を開くことにより第１の隙間閉塞部材１２を容易に隙間１６から取り外すことができるとともに、第２ないし第４の隙間閉塞部材１３ないし１５も隙間１６から容易に取り外すことができる。
【００２８】
なお、本実施の形態においては、平面視矩形状に形成された筺体１について説明したが、他の多角形状に形成された筺体でもよく、その場合は筺体の底板の各辺に対応する数の隙間閉塞部材を設ければよい。また、本実施の形態においては、第３および第４の隙間閉塞部材１４，１５を回動させてゴム足に着脱させるようにしたが、第１および第２の隙間閉塞部材１２，１３と同様に直線状に移動させて着脱させるようにしてもよい。また、第１の隙間閉塞部材１２の後に第２の隙間閉塞部材１３を取り外すようにしたが、第１の隙間閉塞部材１２の後に第３および第４の隙間閉塞部材１４，１５を取り外し、最後に第２の隙間閉塞部材１３を取り外すようにしてもよく、要は第１の隙間閉塞部材１２を最初に取り外すようにすればよい。
【図面の簡単な説明】
【００２９】
【図１】本発明に係る隙間閉塞部材の取付構造を実施する筺体を置台に載置した状態を示し、同図（Ａ）は正面図、同図（Ｂ）は側面図である。
【図２】図５（Ａ）におけるIV-IV 線断面図であって、第３および第４の隙間閉塞部材の取付けを開始した状態を示す。
【図３】図５（Ａ）におけるIV-IV 線断面図であって、第３および第４の隙間閉塞部材の取付けを終了した状態を示す。
【図４】図５（Ａ）におけるIV-IV 線断面図であって、第１および第２の隙間閉塞部材の取付けを終了した状態を示す。
【図５】本発明に係る隙間閉塞部材の取付構造を実施した筺体を置台に載置した状態を示し、同図（Ａ）は正面図、同図（Ｂ）は側面図である。
【符号の説明】
【００３０】
１…筺体、２…開口、３…ケース、４…扉、７…底板、８Ａないし８Ｄ…ゴム足（係合部材）、９…置台、１０…上板、１１Ａないし１１Ｄ…スリーブ（係合部材）、１２…第１の隙間閉塞部材、１２ａ，１２ｂ…係合凹部、１２ｃ，１２ｄ…対接部、１３…第２の隙間閉塞部材、１３ａ，１３ｂ…係合凹部、１３ｃ，１３ｄ…対接部、１４…第３の隙間閉塞部材、１４ａ，１４ｂ…係合凹部、１４ｃ…一方の端縁、１４ｄ…他方の端縁、１５…第４の隙間閉塞部材、１５ａ，１５ｂ…係合凹部、１５ｃ…一方の端縁、１５ｄ…他方の端縁、１６…隙間。
【図１】
2008183314.tif 000003
【図２】
2008183314.tif 000004
【図３】
2008183314.tif 000005
【図４】
2008183314.tif 000006
【図５】
2008183314.tif 000007